(57)【特許請求の範囲】
【請求項１】
粉体を充填してなる付替え包装体と、この付替え包装体が収納されるプラスチック製のケースとを具備してなる複合容器であって、
付替え包装体は、粉体を充填した袋とその袋を収納する紙カートンとからなり、袋は上部に開口を形成して開封するタイプであり、紙カートンは上部に相対するフランジを有するとともに各フランジはそれぞれ把手部分を有しており、紙カートンのフランジの内側面が袋の上部の外側面と接着されており、
ケースは、付替え包装体が入るケース本体と、ケース本体の開口縁部に嵌合固定する中枠と、中枠を取り付けたケース本体を開閉するための蓋体とを備え、ケース本体は、開封した付替え包装体を収納したときに、袋上部を開いた状態で紙カートンの把手部分を固定するための係止部を備えており、
付替え包装体の袋にはガセット袋が用いられており、折込みのある短辺側を予め折った状態で紙カートン内で袋を保形し、折込みの分だけ開口部の周長を延ばすことにより、その寸法をケース本体の開口部の周長以上に設定したことを特徴とする複合容器。
【発明の詳細な説明】
【技術分野】
【０００１】
本発明は、粉ミルク等の粉体を袋ごとプラスチック製のケースに収納して内部の粉体を使用できるようにする複合容器の技術分野に属し、詳しくは、粉体が入った袋を開封して袋ごと付け替えることができるようにした複合容器に関するものである。
【背景技術】
【０００２】
従来より、粉ミルク等の粉体は、缶に充填され密封された状態で店頭で販売されているが、最近では、容器として高価な缶を使用することなく、粉体を袋に充填して付替え包装体とし、これを開封した状態でプラスチック製のケースにセットするようにした複合容器が知られている。このタイプの複合容器では、収納した袋の開口を広げた状態に保持することで、軽量スプーン等ですくい取る操作を容易としたり、袋とケースの間に内容物が入り込まないようにしている（例えば、特許文献１，２参照）。
【先行技術文献】
【特許文献】
【０００３】
【特許文献１】特開２０１４−１９８５７９号公報
【特許文献２】特開２０１４−２０８５４０号公報
【発明の概要】
【発明が解決しようとする課題】
【０００４】
上記した引用文献１，２に記載の複合容器は、ケース本体の開口縁部に嵌合固定される口枠体を備え、その口枠体に回動可能あるいは押圧変形可能な押さえ片を複数設けており、これらの押さえ片によって、開封した袋の開口上端部をケース本体の側周壁との間で挟持することで、付替え包装体をその上端部が大きく開いた状態でケース本体に保持するようになっている。
【０００５】
しかしながら、このような複合容器では、複数カ所ある押さえ片をそれぞれ手で操作する必要があるため、開封した袋をケース本体にセットする操作が楽ではない。また、ケース本体に袋を入れて固定する際に、特に現在多用されているガゼット袋の場合、フィルムのクセで開口部が閉塞するために広げ直す場合が多々ある。その際、袋の開口部分を手で持って広げる必要があるので袋の内面に手が触れ、特に内容物が粉ミルク等の口に入れる食品の場合にあっては、衛生的な面から好ましくない。また、ケース本体の内部に押さえ片が位置しているため、入る袋のサイズがその分だけ小さくなり、したがって内容物の量はケースの見た目より少なく、使用すると早くなくなるという感じがして、消費者ががっかりすることがある。
【０００６】
本発明は、上記のような問題に鑑みてなされたものであり、その目的とするところは、粉体の入った袋のケース本体への収納作業を楽に行うことができ、かつ袋の内側に指が触れることなく衛生的な状態でセットできるようにし、しかも袋の内容量が見た目より少なくならないようにした複合容器を提供することにある。
【課題を解決するための手段】
【０００７】
本発明の複合容器は、粉体を充填してなる付替え包装体と、この付替え包装体が収納されるプラスチック製のケースとを具備してなる複合容器であって、
付替え包装体は、粉体を充填した袋とその袋を収納する紙カートンとからなり、袋は上部に開口を形成して開封するタイプであり、紙カートンは上部に相対するフランジを有するとともに各フランジはそれぞれ把手部分を有しており、紙カートンのフランジの内側面が袋の上部の外側面と接着されており、
ケースは、付替え包装体が入るケース本体と、ケース本体の開口縁部に嵌合固定する中枠と、中枠を取り付けたケース本体を開閉するための蓋体とを備え、ケース本体は、開封した付替え包装体を収納したときに、袋上部を開いた状態で紙カートンの把手部分を固定するための係止部を備えており、
付替え包装体の袋にはガセット袋が用いられており、折込みのある短辺側を予め折った状態で紙カートン内で袋を保形し、折込みの分だけ開口部の周長を延ばすことにより、その寸法をケース本体の開口部の周長以上に設定したことを特徴とする。
【０００８】
この複合容器は、付替え包装体の紙カートンを開けてから、露出した袋の上部を切り取るなどして開口を形成することで開封し、その開封状態で付替え容器をケース本体の中に入れる。次いで、紙カートンの相対するフランジにある把手部分を手で持って袋の開口を広げ、両方の把手部分をケース本体の係止部にそれぞれ固定することで付替え包装体をケース本体にセットする。このとき、紙カートンの把手部分を手で持って操作するので、袋の開口部分を手で持つことがない。また、付替え包装体の袋は、折込みの分だけ開口部の周長を延ばし、その開口部をケース本体の開口縁部と中枠との間で挟持するので、開口部を無理に広げる必要はない。
【発明の効果】
【０００９】
本発明の複合容器は、付替え包装体の紙カートンを開け、袋の上部に開口を形成した状態でケース本体に入れてから、紙カートンの相対するフランジにある把手部分を手で持って袋の開口を広げ、両方の把手部分をケース本体の係止部に固定することで付替え容器をケース内にセットするので、ケースに対する付替え容器の収納作業を楽に行うことができ、しかも袋の開口部分を手で持つことがなく袋の内面に指が触れないことから、衛生的な状態でセットすることができる。また、広げた袋の開口部分を固定するための回動可能あるいは押圧変形可能な押さえ片を用いていないので、付替え包装体のサイズを小さくする必要がなく、袋の内容量が見た目より少なくならないようにすることができる。
【００１０】
また、本発明の複合容器は、付替え包装体の袋にガセット袋を用いており、その短辺側の折込みを利用して、袋の開口部の周長をケース本体の開口部の周長以上に設定したことで、開封した袋の開口部を無理に広げることなく、袋の開口部をケース本体の開口縁部と中枠との間で挟持することができ、付替え包装体のケース本体への収納作業を楽に行うことができる。
【図面の簡単な説明】
【００１１】
【図１】第１実施形態の複合容器を分解した状態で示す説明図である。
【図２】第１実施形態の複合容器で用いる付替え包装体の紙カートンを組み立てるブランクの展開図である。
【図３】付替え包装体の袋を充填状態で示す斜視図である。
【図４】内容物を充填した袋を紙カートンに収納する様子を示す説明図である。
【図５】付替え包装体を示す斜視図である。
【図６】付替え包装体とケース本体のサイズの関係を示す説明図である。
【図７】付替え包装体の袋の開口部を広げた状態を示す説明図である。
【図８】第２実施形態の複合容器を分解した状態で示す説明図である。
【図９】第２実施形態で用いる付替え包装体の紙カートンを組み立てるブランクの展開図である。
【図１０】内容物を充填した袋を紙カートンに収納する様子を示す説明図である。
【図１１】第３実施形態の複合容器を組立て途中で示す説明図である。
【図１２】図８に続く組立て途中の説明図である。
【図１３】第３実施形態の複合容器を組み立てた状態で示す説明図である。
【発明を実施するための形態】
【００１２】
次に、本発明の実施の形態について図面を参照しながら詳細に説明する。
【００１３】
〔第１実施形態〕
図１は本発明に係る第１実施形態の複合容器をその構成部材を離間した状態で示す説明図であり、同図に示すように、この複合容器は、紙カートン１０に袋Ｐを一体化した付替え包装体Ｗと、この付替え包装体Ｗが収納されるプラスチック製のケースＣとを具備している。付替え包装体Ｗは、粉体を充填した袋Ｐとそれを収納する紙カートン１０とからなり、袋Ｐは上部に開口を形成して開封するタイプであり、図１では付替え包装体Ｗを開封状態で示している。一方、プラスチック製のケースＣは、付替え包装体Ｗが入るケース本体２１と、ケース本体２１の開口縁部２１ａに嵌合固定する中枠２２と、中枠２２を取り付けたケース本体２１を開閉するための蓋体２３とを有している。そして、ケース本体２１には、開口縁部２１ａより内側の相対する位置にそれぞ突片状の係止部２１ｘが設けられている。
【００１４】
付替え包装体Ｗの紙カートン１０は、図２に展開形状を示すブランクを組み立てて作成されるものであり、このブランクを組み立てる途中において紙カートン１０の中に図３に示す袋Ｐが収納される。
【００１５】
図２のブランクは、板紙を打ち抜いてケースされたもので、図示のように、狭幅側板１１、広幅側板１２、狭幅側板１３、広幅側板１４、糊代片１４ａがこの順で横方向に連設されている。また、狭幅側板１１，１３の下辺にはそれぞれ底片１５が、広幅側板１２，１４の下辺にはそれぞれ底板１６が連設され、狭幅側板１１，１３の上辺にはそれぞれ蓋板１７が、広幅側板１２，１４の上辺にはそれぞれフランジ１８が連設され、このフランジ１８には台形状の把手部分１８ａが設けられている。
【００１６】
狭幅側板１１，１３の上辺に連設された２つの蓋板１７は、組立て時に互いに重なり合うもので、これらにはそれぞれ開封用のジッパーαがそれぞれ形成されており、組立て時に下側となる方の蓋板１７の表側には、接着力を高めるために複数の半切れ罫線ａが形成されている。また、広幅側板１２，１４の上辺に連設されたフランジ１８と把手部分１８ａの境界には、折り曲げた時に把手部分１８ａの方に細長い孔が形成されるようにコの字状の切込み線βが形成されている。
【００１７】
図３の袋Ｐは、胴部１のサイズが紙カートン１０に納まる大きさのガセット袋で、中に粉体を充填した状態で上部を山形に折り畳んでシール部２を形成することで密封されている。そして、図３の袋Ｐは切取り予定線３のところでシール部２を切除することによって開封するようになっている。
【００１８】
図２のブランクを組み立てる途中で図３の袋Ｐを収納して付替え包装体Ｗを形成する手順は次のようである。
【００１９】
まず、底板１６の接着片１６ａを折り返した状態で、底板１６及び底片１５をそれぞれ内側に折り返し、底片１５の表側に接着片１６ａの裏側を貼り合わせるとともに、糊代片１４ａを狭幅側板１１の端部内面に貼り合わせることでサック貼り状態で折り畳む。そして、この折り畳まれたブランクを起こすと、底板１６の部分がオートロックされてカートンの底部が形成される。
【００２０】
このように折り畳み状態のブランクを起函することで底部を形成してから、図４に示すように上部から袋Ｐを入れた後、上部に露出している山形の部分を平らにし、そこにフランジ１８を重ね合わせてそれぞれホットメルト等で貼り合わせる。すなわち、フランジ１８の内側面を袋Ｐの開口端縁となる部位の外側面に接着する。この場合、フランジ１８の全面を貼り合わせてもよいし、数カ所のポイントで貼り合わせたり横方向に線状に貼り合わせてもよい。要はフランジ１８を引っ張った時に袋Ｐの開口部が四角状に開くように貼り合わせる。続いて、両方の蓋板１７を重ね合わせて糊付けすることで紙カートン１０の上部を閉じる。このとき、半切れ罫線ａのある蓋板１７の方を下側にして糊付けする。これにより図５に示す付替え包装体Ｗが形成される。
【００２１】
図５の付替え包装体Ｗは、プラスチック製のケースＣに収納した状態で販売される。このとき、ケース本体２１に付替え包装体Ｗを入れ、中枠２２をケース本体２１の開口縁部２１ａに嵌合固定してから、蓋体２３をヒンジのところで回動して被せた状態にする。また、図５の付替え包装体Ｗは、ケースＣを再利用するため、交換用としてこの付替え包装体Ｗのみで販売される。
【００２２】
付替え包装体Ｗは、プラスチック製のケースＣにセットして中の粉体を使用できる状態にするが、その手順は次のようである。
【００２３】
まず、紙カートン１０における重なり合った蓋板１７をそれぞれのジッパーαのところで破断除去してから、残った左右の蓋板１７の部分を開け、出てきた袋Ｐの上部を起こしてそのシール部２をハサミなどで切除することで開封する。そして、その開封した付替え包装体Ｗをケース本体２１の中に入れる（図１参照）。
【００２４】
次いで、紙カートン１０のフランジ１８にある把手部分１８ａを手で持って広げるように引っ張る。すると、フランジ１８の内側面が袋Ｐの上部の外側面と接着されている（図１のＦで示す部分）ので、、袋Ｐの開口もフランジ１８にくっ付いて広がる。そして、フランジ１８に対して折れ曲がった把手部分１８ａの根元には、切込み線βにより細長い孔が形成されるので、その細長い孔をケース本体２１の係止部２１ａに嵌め込むことにより、把手部分１８ａを係止部２１ｘに固定する。このとき、紙カートン１０の把手部分１８ａを手で持って操作するので、袋Ｐの開口部分を手で持つことがなく袋の内面に指が触れるようなことはない。
【００２５】
このように、開封した付替え包装体Ｗをケース本体２１の中にセットした後、ケース本体２１の開口縁部２１ａに中枠２２を嵌合固定して使用する。この中枠２２には、図示のように摺り切り棒２２ａが横断状態で設けられており、スプーンにより所定量の粉体をすくい取ることができる。このように所定量の粉体を取り出した後は、蓋体２３を被せた状態にして保管すればよい。
【００２６】
中枠２２はケース本体２１の開口縁部２１ａに嵌合するため、中枠２２の素材にはシリコン系の柔らかいパッキン素材を使用することが好ましい。また、図６（ａ）に示すように、紙カートン１０はケース本体２１に入るサイズであるが、紙カートン１０に収納された袋Ｐはその開口部が中枠２２で挟持できるようにケース本体２１の中で広がらなければならない。そのため、袋Ｐにはガセット袋を用いており、図６（ｂ）に示すように、折込みのある短辺側を予め折った状態で紙カートン１０内で袋Ｐを保形し、折込みの分だけ開口部の周長を延ばすことにより、その寸法をケース本体２１の開口部の周長以上に設定して容器を密閉できるようにしている。ケース本体２１の開口部の周長を□Ａとし、袋Ｐの開口部の周長を□Ｂとしたとき、□Ａ≦□Ｂとなるように設定する。そして、袋Ｐに内容物を充填する工程においても、寸法に余裕を持った形状を保って充填する。
【００２７】
このように、開口部の周長を長くしてケース本体２１の寸法に合わせられるように設計することにより、図７に示すように、中枠２２を嵌合固定する際に、袋Ｐの開口部は無理に広げなくてもケース本体２１の中で広がって状態になり、ケース本体２１の開口縁部２１ａと中枠２２との間で挟持することができる。この袋Ｐとケース本体２１の関係は以下の実施形態においても同様である。
【００２８】
〔第２実施形態〕
図８は本発明に係る第２実施形態の複合容器をその構成部材を離間した状態で示す説明図であり、この複合容器は図１の複合容器と略同様の構成をしているので、同じ構成部位には同じ符号を付してその詳細な説明についてはこれを一部省略する。
【００２９】
この複合容器は、図１の複合容器と同様、紙カートン１０に袋Ｐを一体化した付替え包装体Ｗと、この付替え包装体Ｗが収納されるプラスチック製のケースＣとを具備している。また、付替え包装体Ｗも、粉体を充填した袋Ｐとそれを収納する紙カートン１０とからなり、袋Ｐは上部に開口を形成して開封するタイプであり、図８においても付替え包装体Ｗを開封状態で示している。一方、プラスチック製のケースＣは、付替え包装体Ｗが入るケース本体２１と、ケース本体２１の開口縁部２１ａに嵌合固定する中枠２２と、中枠２２を取り付けたケース本体２１を開閉するための蓋体２３とを有している。そして、ケース本体２１には、開口縁部２１ａより内側の相対する位置にそれぞれ一対の突片からなる二股状の係止部２１ｙが設けられている。
【００３０】
この付替え包装体Ｗの紙カートン１０は、図９に展開形状を示すブランクを組み立てて作成されるものであり、このブランクを組み立てる途中において紙カートン１０の中に図３に示す袋Ｐが収納される。
【００３１】
図９のブランクは、図２のブランクと略同じ構成であるが、フランジ１８に突設する把手部分の形状が異なっており、ここでは付け根の左右に窪みのある矩形状の把手部分１８ｂが設けられている。そして、このブランクを組み立てる途中で図３の袋Ｐを収納して付替え包装体Ｗを形成する手順も図２のブランクの場合と同様である。すなわち、折畳み状態のブランクを起函することで底部を形成してから、図１０に示すように上部から袋Ｐを入れた後、上部に露出している山形の部分を平らにし、そこにフランジ１８を重ね合わせてそれぞれホットメルト等で貼り合わせてから、両方の蓋板１７を重ね合わせて糊付けすることで紙カートン１０の上部を閉じる。これにより外観が図５に示すのと同じ付替え包装体Ｗが形成される。フランジ１８を袋Ｐに貼り合わせるに際しては、フランジ１８の全面を貼り合わせてもよいし、数カ所のポイントで貼り合わせたり横方向に線状に貼り合わせてもよい。要はフランジ１８を引っ張った時に袋Ｐの開口部が四角状に開くように貼り合わせる。
【００３２】
付替え包装体Ｗをプラスチック製のケースＣにセットして中の粉体を使用できる状態にするが、その手順は次のようである。
【００３３】
前記したのと同様して付替え包装体Ｗを開封し、その開封した付替え包装体Ｗをケース本体２１の中に入れる。次いで、紙カートン１０のフランジ１８にある把手部分１８ｂを手で持って広げるように引っ張る。すると、フランジ１８の内側面が袋Ｐの上部の外側面と接着されている（図８のＦで示す部分）ので、袋Ｐの開口もフランジ１８にくっ付いて広がる。そして、フランジ１８の把手部分１８ｂの根元には左右に窪みがあるので、把手部分１８ｂを折り曲げた状態でその窪みの部分をケース本体２１の係止部２１ｙに嵌め込むことにより、把手部分１８ｂを係止部２１ｙに固定する。このとき、紙カートン１０の把手部分１８ｂを手で持って操作するので、袋Ｐの開口部分を手で持つことがなく袋の内面に指が触れるようなことはない。
【００３４】
このように、開封した付替え包装体Ｗをケース本体２１の中にセットした後、前記したのと同様、ケース本体２１の開口縁部２１ａに中枠２２を嵌合固定して使用する。この中枠２２には、図示のように摺り切り棒２２ａが横断状態で設けられており、スプーンにより所定量の粉体をすくい取ることができる。このように所定量の粉体を取り出した後は、蓋体２３を被せた状態にして保管すればよい。
【００３５】
〔第３実施形態〕
図１１は本発明に係る第３実施形態の複合容器をその構成部材を離間した状態で示す説明図である。この複合容器は図８の複合容器と類似しているので、同様の構成部位には同じ符号を付してある。
【００３６】
この複合容器は、図８の複合容器と同様、紙カートン１０に袋Ｐを一体化した付替え包装体Ｗと、この付替え包装体Ｗが収納されるプラスチック製のケースＣとを具備している。また、付替え包装体Ｗも、粉体を充填した袋Ｐとそれを収納する紙カートン１０とからなり、袋Ｐは上部に開口を形成して開封するタイプであり、図１１においても付替え包装体Ｗを開封状態で示している。一方、プラスチック製のケースＣは、付替え包装体Ｗが入るケース本体２１と、ケース本体２１の開口縁部２１ａに嵌合固定する中枠２２と、中枠２２を取り付けたケース本体２１を開閉するための蓋体２３とを有している。そして、ケース本体２１には、その開口縁部２１ａの相対する位置にそれぞれ切欠き状の係止部２１ｚが設けられている。
【００３７】
この付替え包装体Ｗの紙カートン１０は、図９に展開形状を示すブランクを組み立てて作成されるものであり、このブランクを組み立てる途中において紙カートン１０の中に図３に示す袋Ｐが収納される。
【００３８】
付替え包装体Ｗをプラスチック製のケースＣにセットして中の粉体を使用できる状態にするが、その手順は次のようである。
【００３９】
前記したのと同様して付替え包装体Ｗを開封し、その開封した付替え包装体Ｗをケース本体２１の中に入れる。次いで、紙カートン１０のフランジ１８にある把手部分１８ｂを手で持って広げるように引っ張る。すると、フランジ１８の内側面が袋Ｐの上部の外側面と接着されている（図１１のＦで示す部分）ので、袋Ｐの開口もフランジ１８にくっ付いて広がる。そして、フランジ１８の把手部分１８ｂの根元には左右に窪みがあるので、把手部分１８ｂを折り曲げた状態でその窪みの部分をケース本体２１の開口縁部２１ａにある係止部２１ｚに嵌め込むことにより、把手部分１８ｂを係止部２１ｚに固定する。このとき、紙カートン１０の把手部分１８ｂを手で持って操作するので、袋Ｐの開口部分を手で持つことがなく袋の内面に指が触れるようなことはない。
【００４０】
このように、開封した付替え包装体Ｗをケース本体２１の中にセットした後、図１２に示すようにケース本体２１の開口縁部２１ａに中枠２２を嵌合する。このとき、図１３に示すように、袋Ｐの開口上部を挟み込むとともに、折れ曲がった把手部分１８ａを挟み込むようにして中枠２２を開口縁部２１ａに嵌合固定する。この中枠２２には、図示のように摺り切り棒２２ａが横断状態で設けられており、スプーンにより所定量の粉体をすくい取ることができる。このように所定量の粉体を取り出した後は、蓋体２３を被せた状態にして保管すればよい。
【００４１】
以上、本発明の実施形態について２つの例を挙げて詳細に説明してきたが、本発明による複合容器及びそれに用いる付替え包装体は、上記の実施形態に何ら限定されるものではなく、本発明の趣旨を逸脱しない範囲において種々の変更が可能であることは当然のことである。
【００４２】
例えば、上記の実施形態では、付替え包装体を構成する袋としてガセット袋を使用しているが、四方シール袋、三方シール袋など他の形態の袋でも使用可能である。
【産業上の利用可能性】
【００４３】
本発明の複合容器で用いられる袋の内容物としては、粉ミルクを始めとして粉末状の食品や洗剤などが挙げられるが、粉体であれば特に限定されるものではない。
【符号の説明】
【００４４】
Ｃ  ケース
Ｐ  袋
Ｗ  付替え包装体
１  胴部
２  シール部
３  開封予定線
１０  紙カートン
１１  狭幅側板
１２  広幅側板
１３  狭幅側板
１４  広幅側板
１４ａ  糊代片
１５  底片
１６  底板
１６ａ  接着片
１７  蓋板
１８  フランジ
１８ａ，１８ｂ  把手部分
２１  ケース本体
２１ａ  開口縁部
２１ｘ，２１ｙ，２１ｚ  係止部
２２  中枠
２２ａ  摺り切り棒
２３  蓋体
α  ジッパー
β  切込み線
ａ  半切れ罫線
【図１】
0006500615.tif 000002
【図２】
0006500615.tif 000003
【図３】
0006500615.tif 000004
【図４】
0006500615.tif 000005
【図５】
0006500615.tif 000006
【図６】
0006500615.tif 000007
【図７】
0006500615.tif 000008
【図８】
0006500615.tif 000009
【図９】
0006500615.tif 000010
【図１０】
0006500615.tif 000011
【図１１】
0006500615.tif 000012
【図１２】
0006500615.tif 000013
【図１３】
0006500615.tif 000014